(57)【要約】  【課題】文字／数字入力の操作性を向上させ、ＵＲＬ等の入力を容易に行なうことを可能にする。  【解決手段】リモートコントローラ送信装置２０は、数字キーを含む操作キーと、第１の動作位置と第２の動作位置とが切り替えられる切替部と、第２の動作位置において入力された文字／数字を表示する表示部と、操作キーの入力を受け付けて切替部の第１の動作位置および第２の動作位置のそれぞれにおける制御信号を送信するように制御する制御部とを備える。リモートコントローラ送信装置２０は、切替部の第１の動作位置では数字キーの各キーがテレビジョン受信装置を制御する制御機能を有し、切替部の第２の動作位置では、数字キーの各キーがネットワーク上の所望のサイトにアクセスするための文字／数字を入力する機能を有するため、ＵＲＬの入力を簡単に行うことができる。【選択図】図１
2009033533.tif 000002
【特許請求の範囲】
【請求項１】
テレビジョン受信装置に対して制御信号を送信するリモートコントローラ送信装置であって、
数字キーを含む操作キーと、
第１の動作位置と第２の動作位置とが切り替えられる切替部と、
上記第２の動作位置において入力された文字／数字を表示する表示部と、
上記操作キーの入力を受け付けて、上記切替部の第１の動作位置および第２の動作位置のそれぞれにおける上記制御信号を送信するように制御する制御部と、を備え、
上記切替部の上記第１の動作位置では、上記数字キーの各キーが上記テレビジョン受信装置を制御する制御機能を有し、
上記切替部の上記第２の動作位置では、上記数字キーの各キーがネットワーク上の所望のサイトにアクセスするための文字／数字を入力する機能を有することを特徴とするリモートコントローラ送信装置。
【請求項２】
上記切替部は、シャッターで構成され、該シャッターのスライドによって上記表示部を覆う上記第１の動作位置および上記表示部を露呈させる上記第２の操作位置に移動することを特徴とする請求項１記載のリモートコントローラ送信装置。
【請求項３】
上記切替部材の上記第１の動作位置では、上記表示部の電源がＯＮになり、
上記切替部材の上記第２の動作位置では、上記表示部の電源がＯＦＦになることを特徴とする請求項２記載のリモートコントローラ送信装置。
【請求項４】
上記数字キーの１〜９のそれぞれに対し、下記の通り文字が割り付けられていることを特徴とする請求項１記載のリモートコントローラ送信装置。
数字１：．  ＠  あ行
数字２：Ａ  Ｂ  Ｃ  か行
数字３：Ｄ  Ｅ  Ｆ  さ行
数字４：Ｇ  Ｈ  Ｉ  た行
数字５：Ｊ  Ｋ  Ｌ  な行
数字６：Ｍ  Ｎ  Ｏ  は行
数字７：Ｐ  Ｑ  Ｒ  Ｓ  ま行
数字８：Ｔ  Ｕ  Ｖ  や行
数字２：Ｗ  Ｘ  Ｙ  Ｚ  ら行
【発明の詳細な説明】
【技術分野】
【０００１】
この発明は、リモ−トコントローラ送信装置に関し、詳しくは、ネットワークと接続可能なテレビジョン受信装置に対するリモ−トコントローラ送信装置に関する。
【背景技術】
【０００２】
近年、インターネット等のネットワークへの接続機能を備えたテレビジョン受信装置が急速に普及している。このようなテレビジョン受信装置を用いてネットワーク上の所定のアドレスにアクセスして情報を得たい場合、ユーザは、ＵＲＬ（Uniform Resource Locators）等のアドレスコードをテレビジョン受信装置に入力する必要がある。
【０００３】
図７を参照して、リモートコントローラ６０を用いてＵＲＬを入力する方法の一例について説明する。図７に示すように、テレビジョン受信装置５０の表示部５１は、ユーザの選択操作によりＵＲＬの入力画面に切り替えられる。ＵＲＬ入力画面には、例えば、アルファベット等の文字がアイコン化されたソフトキー群５２と、ソフトキー群５２を選択するポインタ５３と、ソフトキー群５２で選択された文字が表示されるＵＲＬ表示部５４と、ＵＲＬ表示部５４に表示されているＵＲＬをサーバに送信する決定ソフトキー５５とが表示される。
【０００４】
リモートコントローラ６０は、ポインタ５３の位置を移動させて所望のソフトキーを選択することができる操作キー６１を有している。ユーザは、この操作キー６１を用いて、１文字ごとに送信を繰り返して文字を選択することにより、テレビジョン受信装置５０に所望のＵＲＬを入力することができる。
【０００５】
ところで、下記特許文献１には、１０ＫＥＹを用いてＧコードの入力を行うリモートコントローラについて記載されている。特許文献１に記載のリモートコントローラは、設定したいＧコードをリモートコントローラの表示部に表示させた後、表示されたＧコードをＶＴＲ（Video Tape Recorder）にまとめて送信することができる。
【０００６】
【特許文献１】特開平８−１３９９６２号公報
【発明の開示】
【発明が解決しようとする課題】
【０００７】
図７に示すように、テレビジョン受信装置５０の表示部５１に表示されるソフトキー群５２を用いて文字／数字入力を行う方法では、テレビジョン受信装置５０の表示部５１を確認しながらリモートコントローラ６０を操作して、１文字ごとに送信を繰り返す必要があるため、手間がかかるという問題がある。また、ユーザがリモートコントローラ６０を操作した後、テレビジョン受信装置５０のレスポンスが遅いため、ユーザが誤入力に気付かないまま操作を続けてしまうという問題がある。
【０００８】
上述の特許文献１に記載の方法では、設定したいＧコードを一旦表示部に表示させた後、まとめて送信することができるため、１文字ごとに送信を繰り返す手間や、レスポンスの遅さにより生じる誤入力等の問題を回避することが可能である。しかしながら、この方法はＧコード、すなわち数字入力にのみ対応する方法であるため、文字／数字からなるＵＲＬ等の入力に適用できるものではなかった。
【０００９】
したがって、この発明の目的は、操作性に優れた方法でＵＲＬ等の文字／数字を入力することが可能なテレビジョン受信装置用のリモートコントローラ送信装置を提供することにある。
【課題を解決するための手段】
【００１０】
上述の課題を解決するために、この発明は、テレビジョン受信装置に対して制御信号を送信するリモートコントローラ送信装置であって、
数字キーを含む操作キーと、
第１の動作位置と第２の動作位置とが切り替えられる切替部と、
第２の動作位置において入力された文字／数字を表示する表示部と、
操作キーの入力を受け付けて、切替部の第１の動作位置および第２の動作位置のそれぞれにおける制御信号を送信するように制御する制御部と、を備え、
切替部の第１の動作位置では、数字キーの各キーがテレビジョン受信装置を制御する制御機能を有し、
切替部の第２の動作位置では、数字キーの各キーがネットワーク上の所望のサイトにアクセスするための文字／数字を入力する機能を有することを特徴とするリモートコントローラ送信装置である。
【００１１】
この発明では、数字キーを含む操作キーが、テレビジョン受信装置を制御する制御機能とネットワーク上の所望のサイトにアクセスするための文字／数字を入力する機能とを有し、切替部によってこれらの機能を切り替えて用いることができる。
【発明の効果】
【００１２】
この発明のリモートコントローラ送信装置は、数字キーを含む操作キーの機能を、テレビジョン受信装置を制御する制御機能とネットワーク上の所望のサイトにアクセスするための文字／数字を入力する機能とに切り替えることができ、入力された文字／数字を表示部に表示して確認することができるため、リモートコントローラ送信装置本来の機能であるテレビジョン受信装置の制御機能の操作性を損なうことなく、文字／数字入力の操作性を向上させることができる。
【発明を実施するための最良の形態】
【００１３】
以下、この発明の実施形態について図面を参照しながら説明する。まず、この発明の一実施の形態として、ネットワークと接続可能なテレビジョン受信装置の構成について説明する。
【００１４】
図１は、一実施の形態によるテレビジョン装置の全体的構成を示す。アンテナ１で受信されたＲＦ信号がフロントエンド部２に供給される。フロントエンド部２は、アンテナ１から入力される放送信号から、所定のＵＨＦチャンネルを選択し、直交復調、ＦＦＴ、デインターリーブ、ビタビ復号、トランスポートストリーム（以下、ＴＳと適宜略す）の再生等の処理を行い、ＴＳをデマルチプレクサ３に出力する。なお、地上ディジタル放送に換えて、ＢＳ（Broadcasting satellite）ディジタル放送や、ＣＳ（Communication Satellite）ディジタル放送等を選択して受信することも可能である。
【００１５】
デマルチプレクサ３は、フロントエンド部２から出力されるＴＳから、番組の音声および映像に相当するＡＶ信号を分離してＭＰＥＧ(Moving Picture Experts Group)デコーダ４に出力する。また、デマルチプレクサ３は、ＴＳから、ＥＰＧ（Electorical ProgramGuide）、基本データ等のデータ信号を分離して、バス１０を介して制御部１１に出力する。
【００１６】
ＭＰＥＧデコーダ４は、デマルチプレクサ３から入力されたＡＶ信号をデコードし、その結果得られる映像信号および音声信号を、それぞれ映像信号処理部５および音声信号処理部６にそれぞれ出力する。映像信号処理部５は、ＭＰＥＧデコーダ４から入力された映像信号を、後段のモニタ７に適合するフォーマットに変換する。音声信号処理部６は、ＭＰＥＧデコーダ４から入力された音声信号に対し、所定の音声処理を行う。モニタ７は、映像信号処理部５からの映像信号に対応する映像を表示するとともに、音声信号処理部６からの音声信号に対応する音声を出力する。
【００１７】
制御部１１には、ユーザ操作を受け付けて対応する操作コマンドを生成する操作入力部１２、制御用プログラムやブラウザ等のアプリケーションソフトが記憶されているＲＯＭ（Read Only Memory）１３、および各種のデータを記憶するＲＡＭ（Random Access Memory）１４が接続されている。また、制御部１１には、バス１０を介して、通信部１５が接続されている。制御部１１は、ＲＯＭ１３に記憶されている制御プログラムを実行することにより、バス１０を介してテレビジョン受信装置を構成する各部を制御する。
【００１８】
操作入力部１２は、リモートコントローラ送信装置からの信号を受信して復号する受信部やテレビジョン受信装置の筐体外面等に設けられる操作ボタン等から成り、ユーザの操作を受け付けて、対応する操作信号を制御部１１に出力する。通信部１５は、例えば、ＴＣＰ／ＩＰ（Transmission Control Protocol/Internet Protocol）等に基づき、他の電子装置（図示せず）と所定のデータを通信する。例えば、操作入力部１２からＵＲＬが入力された場合、入力されたＵＲＬは変調されて通信部１５から送信されてネットワークに接続される。これにより、ネットワーク上にあるＵＲＬのサイトからの情報が読み込まれ、モニタ７に表示される。
【００１９】
次に、この発明の一実施の形態によるリモートコントローラ送信装置２０（以下、リモコン２０と適宜称する）の構成について説明する。図２に、この発明の一実施の形態によるリモコン２０の平面図の一例を示す。このリモコン２０は、赤外線、電波等の送信信号を送信する送信部２２と、リモコン２０の長手方向にスライドして移動するシャッター２１と、複数の操作キー２３〜３５と、シャッター２１の移動位置によって表示面が覆われたり露呈したりする表示部３６とにより構成される。
【００２０】
図２Ａに示すリモコン２０は、シャッター２１が第１の動作位置のときを示している。第１の動作位置ではシャッター２１は閉じている状態となり、表示部３６はシャッター２１により覆われた状態となる。一方、図２Ｂに示すリモコン２０は、シャッター２１が第２の動作位置のときを示している。第２の動作位置では、シャッターは開いている状態となり、表示部３６の表示面が露呈した状態となる。図２Ａ中の矢印ａの方向にシャッター２１をスライドさせることによって、シャッター２１は第２の動作位置に移動する。また、図２Ｂ中の矢印ｂで示す方向にシャッター２１をスライドさせることによってシャッター２１は第１の動作位置に移動する。
【００２１】
シャッター２１を第１の動作位置および第２の動作位置に移動させることにより、リモコン２０の動作モードが切り替えられる。図２Ａに示すようにシャッター２１が第１の動作位置のときは、リモコン２０は通常のリモコンと同様、テレビジョン受信装置を制御する動作モードとなる。以下、シャッター２１が第１の動作位置に位置するときの動作モードを通常モードと称する。
【００２２】
一方、図２Ｂに示すようにシャッター２１が第２の動作位置のときは、リモコン２０の操作キー３３はネットワーク上の所望のサイトにアクセスするための文字／数字を入力する機能に切り替えられ、入力された文字／数字からなる所望のＵＲＬをテレビジョン受信装置に送信する動作モードに切り替えられる。以下、シャッター２１が第２の動作位置に位置するときの動作モードを文字／数字入力モードと称する。
【００２３】
この発明の一実施の形態では、リモコン２０を通常モードで用いることにより、図７を参照して説明した方法と同様にソフトキーを用いて所望のＵＲＬをテレビジョン受信装置に入力することができる。また、シャッター２１を第２の動作位置に移動させてリモコン２０を文字／数字入力モードに切り替えることにより、操作キー３３等を用いて所望のＵＲＬを入力することができ、表示部３６に入力した文字／数字を表示させて、テレビジョン受信装置にまとめて送信することができる。したがって、文字／数字入力モードに切り替えてＵＲＬの入力操作を行うことにより、テレビジョン受信装置を確認しながら１文字ずつ送信を繰り返す必要がなくなるため、テレビジョン受信装置のレスポンスが遅いために誤入力等に気付かず操作を続けてしまうという不具合が解消され、入力時間も短縮化することができる。また、表示部３６で入力された文字／数字を確認しながらブラインドタッチでＵＲＬを入力することができるため、手元とテレビジョン受信装置のモニタ７とを何度も確認しながら入力する必要がなくなり、利便性が向上する。
【００２４】
以下、リモコン２０の通常モードおよび文字／数字入力モードにおける機能についてそれぞれに説明する。まず、図２Ａを参照して通常モードにおけるリモコン２０について説明する。
【００２５】
操作キー２３は電源キーであり、テレビジョン受信装置の電源のＯＮ／ＯＦＦを制御する。通常モードにおいて、電源がＯＦＦの状態のテレビジョン受信装置に対して電源キーが押されると、テレビジョン受信装置の電源はＯＮになり、例えば地上ディジタル放送を受信した映像をモニタ７に表示する。
【００２６】
操作キー２４、２５、２６で示すキー群は、例えば、入力切替キー、画面表示キー、ワイド切替キー、ミュートキー、音声切替キー、カラーキー（青、赤、緑、および黄）、番組表キー、連動データキー、戻るキー、ツールキー、メモキー、字幕キー等の、一般的なテレビジョン受信装置の操作を行うことができる操作キーにより構成される。
【００２７】
操作キー２７はメニューキーであり、テレビジョン受信装置のモニタ７にメニュー画面を表示することができる。メニューの選択によってインターネット等の外部との接続を行う動作状態が設定される。この発明の一実施の形態では、上述のようにシャッター２１を移動させてリモコン２０を文字／数字入力モードに切り替えることにより、ＵＲＬの入力および送信を行なうことができるが、例えばメニューキーを押してブラウザ入力画面への切り替えを選択し、図７に示すようにソフトキーを用いてアドレスを入力することもできる。
【００２８】
操作キー２８は方向キーであり、例えばテレビジョン受信装置のモニタ７に表示されるポインタ等を移動させるために用いられる。操作キー２９は決定キーであり、例えばポインタにより指示した位置を決定するために用いられる。
【００２９】
操作キー３０、３１、および３２は、例えば地上ディジタル放送キー、ＢＳディジタル放送キー、ＣＳディジタル放送キーであり、これらの放送を選択するためのキーである。
【００３０】
操作キー３３で示すキー群は数字キーであり、テレビジョン受信装置のモニタ７に表示するチャンネルを選択するキーである。例えば、１から１２までのキーのうち１つのボタンを選択すると、そのキーに対応したチャンネルが選択されてモニタ７に表示される。
【００３１】
操作キー３４は音量調整キーであり、操作キー３５はチャンネル選択キーである。
【００３２】
シャッター２１は上述のように第１の動作位置および第２の動作位置に切り替えられ、これらの動作位置に応じて通常モードと文字／数字入力モードとを切り替えるスイッチとして機能する。シャッター２１を第１の動作位置および第２の動作位置に移動させるという一つの操作だけで、通常モードと文字／数字入力モードとの切り替えを簡単に行うことができる。
【００３３】
次に、図２Ｂを参照して文字／数字入力モードについて説明する。
【００３４】
文字／数字入力モードにおいて、操作キー３３で示す数字キーは、文字／数字を入力するためのキーに切り替えられる。また、操作キー３３の直上に位置する操作キー３０、３１、および３２は、例えば、文字キー、クリアキー、メニューキーにそれぞれ切り替えられる。文字キーは、操作キー３３を用いて入力する文字／数字の種類を選択するキーで、例えば、アルファベット、かな、数字から所望の文字の種類を選択することができる。クリアキーは、入力された文字を消すためのキーである。メニューキーは、文字／数字入力モードにおいて使用可能なメニューを選択できるキーで、例えば、メモリに保存されたお気に入りのＵＲＬを読み出して表示部３６に表示することができる。
【００３５】
図３に、操作キー３０〜３３の、各キーの文字の割り付けの一例を示す。図３に示す文字の割り付けは、一般的な携帯電話に用いられている文字の割り付けと同じである。そのため、携帯電話のメール機能等を利用するユーザにとって、文字入力に適した割り付けとなり、ブラインドタッチで文字／数字の入力操作を行うことができる。したがって、操作キー３３を図３に示すような割り付けにすることにより、文字／数字入力の操作性が向上し、文字／数字の入力操作を容易かつ迅速に行うことができる。
【００３６】
なお、図３では文字の割り付けを説明するために、各数字キーに対応する文字を表示しているが、このような文字の表示はブラインドタッチを行うユーザにとっては不要であるため、実際には表示されない。文字の表示を行わないことによって、操作キー３３の近傍をシンプルな表示にすることができる。なお、必要であれば文字の表示を各数字キーの近傍に表示を行うようにしてもよい。
【００３７】
操作キー２３は電源キーである。文字／数字入力モードにおいて、電源がＯＦＦの状態のテレビジョン受信装置に対して電源キーが押されると、テレビジョン受信装置の電源はＯＮになると共にテレビジョン受信装置のＲＯＭ１３に記憶されているブラウザが起動し、ネットワークに接続を行う状態となる。この場合、シャッター２１をスライドさせて文字／数字入力モードにするのみで、テレビジョン受信装置の電源がＯＮされるようにしてもよい。テレビジョン受信装置の電源がＯＮされると、モニタ７には例えばＵＲＬ入力画面が表示され、リモコン２０から送信されるＵＲＬを表示する構成とすることができる。また、ネットワーク上の所定のＵＲＬにアクセスして、所定のＵＲＬのサイトからの情報を開始画面として表示する構成とすることもできる。
【００３８】
操作キー２４は、通常モードにおける操作キー２４の機能が停止されるように、キー機能の制限がされる。すなわち、通常モードと文字／数字入力モードとで、キー機能の制限がされるときと解除されるときとが切り替えられ、文字／数字入力モードにおいては操作キー２４を押してもテレビジョン受信装置の操作を行うことができなくなる。このように、文字／数字入力モードにおいて使用しないキーの機能を停止させることにより、誤操作を防止することができる。例えば、文字／数字入力モードで使用中に、誤操作によってテレビジョン受信装置のモニタ７の画面表示が切り替わるという不具合を防止することができる。
【００３９】
操作キー２５、２６、２７は、文字／数字入力モードではシャッター２１の内側に隠れるため、使用できなくなる。
【００４０】
操作キー２８は方向キーであり、表示部３６に表示されるカーソルを移動させるときに用いられる。操作キー２８は決定キーであり、入力されたＵＲＬをテレビジョン受信装置に送信するときに用いられる。なお、テレビジョン受信装置にＵＲＬを送信した場合、テレビジョン受信装置はブラウザを起動させて、送信されたＵＲＬに対するアクセス処理が行われる。
【００４１】
操作キー３４は、通常モードと同様に、音量調整ボタンとして用いられる。操作キー３５は、操作キー２４と同様にキー機能を停止させることにより誤操作を防止するようにしてもよい。また、例えば送信したＵＲＬの履歴を表示部３６に順次表示することができる機能に切り替えて用いてもよい。
【００４２】
表示部３６には、操作ボタン３３等を押して入力された文字／数字が表示される。この表示部３６は、例えばＬＣＤ（Liquid Crystal Diplay）等で構成され、シャッター２１が開いて文字／数字入力モードに移行すると電源がＯＮになり、シャッター２１が閉じて表示部３６がシャッターの内側に隠れると、電源がＯＦＦになる。このように、文字／数字入力モードにおいてのみ表示部３６の電源をＯＮにすることにより、リモコン２０の消費電力を減少させることができる。
【００４３】
図４に、リモコン２０の構成を示すブロック図を示す。図４に示すように、リモコン２０は、マイクロコンピュータ等を含む制御部３７を有し、この制御部３７に、操作入力部３８、ＲＯＭ３９、ＲＡＭ４０、シャッター連動スイッチ４１、表示部３６、送信部２２が接続されている。
【００４４】
操作入力部３８は、操作キー２３〜３５を示しており、入力操作があった場合にその操作キーに応じた入力信号が制御部３５に供給される。
【００４５】
制御部３７は、シャッター２１が閉じている状態（通常モード）か、開いている状態（文字／数字入力モード）かを判断し、通常モードが選択されているときは、操作入力部３６から入力される信号に応じてＲＯＭ３７に記憶されているコマンドコードを読み出して、このコマンドコード信号を送信部２２から出力する。文字／数字入力モードが選択されているときは、操作キー３３等を用いて文字／数字の入力操作が行われた場合、入力された文字／数字を一時的にＲＡＭ４０に記憶すると共に、表示部３６に入力された文字／数字の表示制御を行う。
【００４６】
ＲＯＭ３９には、通常モードおよび文字／数字入力モードにおける各操作キー２３〜３５に応じたコマンドコードが記憶されており、各操作キー２３〜３５の入力操作に応じて制御部３７によって読み出される。
【００４７】
ＲＡＭ４０は、文字／数字入力モードにおいてＵＲＬの入力操作があった場合、入力されたＵＲＬを一時的に記憶する。そして、操作キー２９が押されて送信の指示がなされた場合、ＲＡＭ４０に記憶されたＵＲＬは読み出され、送信部２２から例えば赤外線のコマンドとして送信される。
【００４８】
また、ＲＡＭ４０は、入力されたＵＲＬを保存するという操作がなされた場合、このＵＲＬをお気に入りとして記憶する。ＲＡＭ４０にお気に入りとして記憶されたＵＲＬは、操作キー３２のメニューキーを用いて所望のＵＲＬを選択することにより読み出されて、表示部３６に表示することができる。
【００４９】
シャッター連動スイッチ４１はシャッター２１を示しており、シャッター２１の第１の動作位置と第２の動作位置とに対応した状態信号を制御部３７に与える。
【００５０】
次に、図５に示す表示部３６の表示のいくつかの例を参照にして、文字／数字入力モードにおけるＵＲＬの入力から送信までを説明する。
【００５１】
操作キー３３を用いて文字／数字の入力が行われると、図５Ａに示すように、入力された文字／数字が表示部３６に順次表示される。したがって、ユーザは入力した文字／数字を確認しながら入力を行うことができる。なお、図５Ａ中の矢印ｃは、カーソルを示している。操作キー３２のメニューボタンを押すことにより、メモリに保存されたお気に入りのＵＲＬを読み出して表示することも可能である。入力された文字／数字の全てを表示部３６の画面内に表示できない場合は、操作キー２８を用いてスクロールを行うことにより、全ての入力内容を確認することができる。
【００５２】
ＵＲＬの入力が完了すると、操作キー２９の決定キーを押すことにより、テレビジョン受信装置にＵＲＬを送信することができる。図５Ｂは、テレビジョン受信装置に送信を行っている過程での操作画面３６の表示の一例である。図５Ｂ中の画面には、例えば実線の矢印と点線の矢印が表示される。決定ボタンを押すと、まず点線の矢印が表示され、送信が進むにつれて順次実線の矢印に変化していき、送信が完了するまでの経過状態が示される。
【００５３】
テレビジョン受信装置への送信が完了すると、図５Ｃに示すように送信完了通知が行われる。その後、図示はしないが、入力したＵＲＬをメモリに保存するか否かを選択する画像に切り替える構成としてもよい。メモリに保存する場合は、操作キー２９の決定キーを押してＵＲＬの保存をすることができる。
【００５４】
テレビジョン受信装置への送信にエラーが生じた場合は、入力したＵＲＬが再び表示画面３６に表示され、エラーとなったＵＲＬの再送を行うことができる。したがって、ＵＲＬを再入力する必要がなくなる。
【００５５】
以下、図６を参照して、リモコン２０のＵＲＬの入力から送信までの流れを説明する。まず、図示しないが、テレビジョン受信装置の動作状態がインターネット等の外部のネットワークと接続可能な操作状態とされる。
【００５６】
ステップＳ１において、リモコン２０のシャッター２１が第２の動作位置か否かが判断される。シャッター２１が第２の動作位置の場合は、ステップＳ２の文字／数字入力モードへ移行する。一方、シャッター２１が第１の動作位置の場合は、ステップＳ８の通常モードへ移行する。
【００５７】
ステップ２において文字／数字入力モードへ移行すると、操作キー３３等の機能が切り替わり、表示部３６の電源がＯＮとなる。
【００５８】
次に、ステップＳ３において、ＵＲＬの入力が行われる。入力されたＵＲＬは表示部３６に表示される。
【００５９】
ステップＳ４では、操作キー２９に示す決定キーが押されたか否かが判断される。決定キーが押されたと判断された場合は、ステップＳ５に移行し、入力されたＵＲＬの送信が行われる。送信されたＵＲＬは、テレビジョン受信装置のブラウザに入力される。
【００６０】
一方、ステップＳ４において決定キーが押されない場合は、ＵＲＬの入力が完了していないものとして、送信ボタンが押されるまでステップＳ４の処理が繰り返される。
【００６１】
ステップＳ５において送信が行われた後、ステップＳ６において送信したＵＲＬをメモリ（ＲＡＭ４０）に記憶させるか否かが判断される。メモリに記憶する場合は、ステップＳ７においてお気に入りとしてメモリに記憶され、一連の処理が終了される。
【００６２】
ステップＳ６において、送信したＵＲＬをメモリに記憶しない場合は、処理が終了される。
【００６３】
なお、ステップＳ２からステップＳ６においてシャッター２１が第２の動作位置に切り替えられたときは、リモコン２０は通常モードに移行される。
【００６４】
ステップＳ８において通常モードに移行した場合は、図７を参照して説明した方法と同様にソフトキーを用いて所望のＵＲＬがテレビジョン受信装置に入力され、処理が終了される。
【００６５】
このように、この発明の一実施形態では、シャッター２１を移動させるという一つの動作だけで、簡単に通常モードと文字／数字入力モードとを切り替えることができる。文字／数字入力モードでは、数字キーが文字／数字入力に適した文字の割り付けに切り替えられるため、文字／数字の入力を容易に行うことができる。また、表示部３６に入力した文字／数字を表示することができ、入力した文字／数字をまとめてテレビジョン受信装置に送信することができる。したがって、リモコン２０の通常モードにおける操作性を損なうことなく、文字／数字入力モードに切り替えることにより利便性に優れた方法でＵＲＬの入力操作を行うことができる。
【００６６】
以上、この発明の一実施の形態について具体的に説明したが、この発明は、上述の一実施の形態に限定されるものではなく、この発明の技術的思想に基づく各種の変形が可能である。
【００６７】
例えば、上述の一実施の形態ではシャッターを用いて通常モードと文字／数字入力モードとを切り替える構成について説明したが、例えばリモコン２０に対して一端部を接続させた蓋を設け、この蓋を上下または左右に開閉させることにより通常モードと文字／数字入力モードとを切り替える構成にしてもよい。
【００６８】
また、上述の一実施の形態では、操作キー３３等を用いて文字／数字を入力することにより、ＵＲＬをテレビジョン受信装置に送信する例について説明したが、操作キー３３等を用いて入力および送信する文字／数字はＵＲＬに限られず、例えばテレビジョン受信装置が検索サイト等に接続されている場合、検索したい文字（言葉）を入力して送信するようにして用いてもよい。
【図面の簡単な説明】
【００６９】
【図１】この発明を適用することができるテレビジョン受信装置の一例のブロック図である
【図２】この発明の一実施の形態によるリモートコントローラの一例を示す平面図である。
【図３】この発明の一実施の形態によるリモートコントローラの操作キーの一部のキー割り付けの一例を示す略線図である。
【図４】この発明の一実施の形態によるリモートコントローラの一例を示すブロック図である。
【図５】この発明の一実施の形態によるリモートコントローラの表示部の表示例を示す略線図である。
【図６】この発明の一実施の形態によるリモートコントローラの文字／数字の入力の流れを示すフローチャートである。
【図７】リモートコントローラを用いてテレビジョン受信装置にＵＲＬを入力する方法の一例を説明するための略線図である。
【符号の説明】
【００７０】
２・・・フロントエンド部
３・・・デマルチプレクサ
１１・・・制御部
１２・・・操作入力部
２０・・・リモートコントローラ
２１・・・シャッター
２２・・・送信部
２３〜３５・・・操作キー
３７・・・制御部
３８・・・操作入力部
３９・・・ＲＯＭ
４０・・・ＲＡＭ
４１・・・シャッター連動スイッチ
【図１】
2009033533.tif 000003
【図２】
2009033533.tif 000004
【図３】
2009033533.tif 000005
【図４】
2009033533.tif 000006
【図５】
2009033533.tif 000007
【図６】
2009033533.tif 000008
【図７】
2009033533.tif 000009